(57)【要約】【課題】  小型化を可能にしたインクジェット記録装置を提供することを課題とする。【解決手段】  本発明に係るインクジェット記録装置は、インク滴を吐出するインクジェット記録ヘッド３３と、インクジェット記録ヘッド３３に接続されたインク供給ラインに設けられ、インク滴の非吐出時にインクジェット記録ヘッド３３にヘッド背圧を発生させる差圧弁７４と、を備えている。これにより、インク供給ラインに接続されたインクタンク等のインク貯留手段の配置位置の自由度が格段に広がる。従って、小型化を可能にしたインクジェット記録装置を実現させることができる。【選択図】        図６
2006088403.tif 000002
【特許請求の範囲】
【請求項１】
インク滴を吐出するインクジェット記録ヘッドと、
前記インクジェット記録ヘッドに接続されたインク供給ラインに設けられ、前記インクジェット記録ヘッドにヘッド背圧を発生させる背圧発生手段と、
を備えたことを特徴とするインクジェット記録装置。
【請求項２】
前記背圧発生手段は、差圧弁と、前記差圧弁の上流側に設けられたインク加圧手段とを含むことを特徴とする請求項１に記載のインクジェット記録装置。
【請求項３】
前記加圧手段は、大気連通口を有するリザーバタンクであって、
前記リザーバタンクは前記インクジェット記録ヘッドより上方位置に設けられていることを特徴とする請求項２に記載のインクジェット記録装置。
【請求項４】
前記差圧弁としてダイヤフラム弁を設けたことを特徴とする請求項２又は３に記載のインクジェット記録装置。
【請求項５】
前記差圧弁としてフロート弁を設けたことを特徴とする請求項２又は３に記載のインクジェット記録装置。
【発明の詳細な説明】
【技術分野】
【０００１】
本発明は、インクジェット記録ヘッドからインク滴を吐出して記録媒体へ記録するインクジェット記録装置に関する。
【背景技術】
【０００２】
インクジェット記録ヘッドから記録媒体へ向けてインク滴を吐出させて記録するインクジェット記録装置が多用されている。このようなインクジェット記録装置にはインク貯留手段が設けられ、インク貯留手段からインクジェット記録ヘッドへインクを供給し、インクジェット記録ヘッドのノズル面からインク滴を吐出している（例えば特許文献１、２参照）。
【０００３】
ところで、従来、インクジェット記録装置では、ヘッド背圧を発生させるために、インク貯留手段をインクジェット記録ヘッドのノズル面よりも下方に配置していた。このため、インク貯留手段の配置位置、すなわちインクタンク、リザーバタンク、サブタンク等の配置位置の自由度が制限され、装置小型化の妨げになっているという問題があった。また、インクレベルを調整して背圧を許容範囲内にする必要があるため、インク貯留手段で収容可能なインク容量に制限があり、このことも装置の小型化の妨げになっていた。
【０００４】
例えば、図１８に示すように、特許文献１に開示されたインクジェット記録装置２１２では、第１バッファタンク２１４及び第２バッファタンク２１５のインクレベルＲを、インクジェット記録ヘッド２１２の吐出口２１８よりも下方位置にする必要があった。また、第１バッファタンク２１４及び第２バッファタンク２１５のインクレベルＲと、インクジェット記録ヘッド２１２の吐出口２１８との高さ差ｈを背圧としており、このｈを許容範囲内に維持する必要があった。そして、これらの制約がインクジェット記録装置２１２の小型化を妨げていた。
【特許文献１】特開平１１−１０５３０３号公報
【特許文献２】特開平１０−１３８５１５号公報
【発明の開示】
【発明が解決しようとする課題】
【０００５】
本発明は、上記事実を考慮して、小型化を可能にしたインクジェット記録装置を提供することを課題とする。
【課題を解決するための手段】
【０００６】
請求項１に記載の発明は、インク滴を吐出するインクジェット記録ヘッドと、前記インクジェット記録ヘッドに接続されたインク供給ラインに設けられ、前記インクジェット記録ヘッドにヘッド背圧を発生させる背圧発生手段と、を備えたことを特徴とする。
【０００７】
このような構成により、インク供給ラインに接続されたインクタンク等のインク貯留手段の配置位置の自由度が格段に広がる。従って、小型化を可能にしたインクジェット記録装置を実現させることができる。
【０００８】
請求項２に記載の発明は、前記背圧発生手段が、差圧弁と、前記差圧弁の上流側に設けられたインク加圧手段とを含むことを特徴とする。
【０００９】
差圧弁とインク加圧手段とによってインクジェット記録ヘッドのインク背圧を制御することが可能となるため、インク貯留手段の配置位置や容量に自由度は更に増し、装置の小型化が容易となる。
【００１０】
差圧弁は一定の差圧で弁の開閉が行われる小型で簡素な構造であり、ヘッド上側に配置可能である。従って、装置構成を更に簡素にすることができると共に、装置サイズを更に小さくすることができる。
【００１１】
また、差圧弁は逆止弁としての働きもする。従って、記録媒体として記録用紙を用いた際、ジャム等が生じてヘッド位置が変化しても、インクジェット記録ヘッドの吐出口（ノズルなど）から気泡を引き込むことがない。また、振動等によりインクレベルがリザーバタンク内で変動しても、ノズルからインクの染み出しや気泡の引き込みが生じることがない。
【００１２】
請求項３に記載の発明は、前記加圧手段は、大気連通口を有するリザーバタンクであって、前記リザーバタンクは前記インクジェット記録ヘッドより上方位置に設けられていることを特徴とする。
【００１３】
これにより、リザーバタンクと差圧弁との間のインクの重量を利用してインクが加圧され、差圧弁を動作させてインクジェット記録ヘッドの背圧を制御することができる。
【００１４】
更に、リザーバタンクをインクジェット記録ヘッドの上方に配置する簡易な構造であるので、装置の小型化に特に適している。
【００１５】
差圧弁としては、請求項４に記載のダイヤフラム弁や、請求項５に記載のフロート弁、等を挙げることができる。
【発明の効果】
【００１６】
本発明は上記構成としたので、小型化を可能にしたインクジェット記録装置を実現させることができる。
【発明を実施するための最良の形態】
【００１７】
以下、実施形態を挙げ、本発明の実施の形態について説明する。なお、第２実施形態以下では、既に説明した構成要素と同様のものには同じ符号を付してその説明を省略する。
【００１８】
［第１実施形態］
まず、第１実施形態について説明する。
【００１９】
（全体構成）
図１には、本発明の第１実施形態のインクジェット記録装置１２が示されている。インクジェット記録装置１２の筐体１４内の下部には給紙トレイ１６が備えられており、給紙トレイ１６内に積層された用紙Ｐをピックアップロール１８で１枚ずつ取り出すことができる。取り出された用紙Ｐは、所定の搬送経路２２を構成する複数の搬送ローラ対２０で搬送される。以下、単に「搬送方向」というときは、記録媒体である用紙Ｐの搬送方向をいう。
【００２０】
給紙トレイ１６の上方には、駆動ロール２４及び従動ロール２６に張架された無端状の搬送ベルト２８が配置されている。搬送ベルト２８の上方には記録ヘッドアレイ３０が配置されており、搬送ベルト２８の平坦部分２８Ｆに対向している。この対向した領域が、記録ヘッドアレイ３０からインク滴が吐出される吐出領域ＳＥとなっている。搬送経路２２を搬送された用紙Ｐは、搬送ベルト２８で保持されてこの吐出領域ＳＥに至り、記録ヘッドアレイ３０に対向した状態で、記録ヘッドアレイ３０から画像情報に応じたインク滴が付着される。
【００２１】
そして、用紙Ｐを搬送ベルト２８で保持した状態で周回させることで、吐出領域ＳＥ内に複数回通過させて、いわゆるマルチパスによる画像記録を行うことができる。したがって、搬送ベルト２８の表面が、本発明における用紙Ｐの周回経路となっている。
【００２２】
なお、搬送ベルト２８は、一例として、半導電性ポリイミド材（表面抵抗値１０10〜１０13Ω／□、体積抵抗値１０9〜１０12Ω・ｃｍ）を、厚さ７５μｍ、幅３８０ｍｍ、周長１０００ｍｍに成形したものを使用できる。また、駆動ロール２４及び従動ロール２６としては、一例として、φ５０ｍｍのＳＵＳロールを使用できる。
【００２３】
また、搬送ベルト２８を設けずに、例えば円筒状あるいは円柱状に形成された搬送ローラの外周に、記録媒体（用紙Ｐ）を吸着保持して回転させる構成にしてもよい。ただし、本実施形態のように搬送ベルト２８を使用すると平坦部分２８Ｆが構成されるので、この平坦部分２８Ｆに対応させて記録ヘッドアレイ３０を配置でき、好ましい。
【００２４】
記録ヘッドアレイ３０は、本実施形態では、有効な記録領域が用紙Ｐの幅（搬送方向と直交する方向の長さ）以上とされた長尺状とされ、イエロー（Ｙ）、マゼンタ（Ｍ）、サイアン（Ｃ）、及びブラック（Ｋ）の４色それぞれに対応した４つのインクジェット記録ヘッドユニット３２（以下、単にヘッドユニット３２という）が搬送方向に沿って配置されており、フルカラーの画像を記録可能になっている。なお、それぞれのヘッドユニット３２においてインク滴を吐出する方法は特に限定されず、いわゆるサーマル方式や圧電方式等、公知のものを適用できる。
【００２５】
各ヘッドユニット３２を構成するインクジェット記録ヘッド３３は、ヘッドコントローラ６０によって制御されるようになっている。ヘッドコントローラ６０は、たとえば、画像情報に応じてインク滴の吐出タイミングや使用するインク吐出口（ノズル）を決め、駆動信号をインクジェット記録ヘッド３３に送る。
【００２６】
また、記録ヘッドアレイ３０は、搬送方向と直交する方向に不動とされていてもよいが、必要に応じて移動するように構成しておくと、マルチパスによる画像記録で、より解像度の高い画像を記録したり、インクジェット記録ヘッド３３の不具合を記録結果に反映させないようにしたりできる。
【００２７】
ヘッドユニット３２の上方位置には、イエロー（Ｙ）、マゼンタ（Ｍ）、サイアン（Ｃ）、及びブラック（Ｋ）の４色それぞれに対応したリザーバタンク６４が配置されている。
【００２８】
記録ヘッドアレイ３０の近傍（本実施形態では搬送方向の両側）には、それぞれのヘッドユニット３２に対応した４つのメンテナンスユニット３４が配置されている。ヘッドユニット３２に対してメンテナンスを行う場合には、図２に示すように、記録ヘッドアレイ３０が上方へ移動し、搬送ベルト２８との間に構成された間隙にメンテナンスユニット３４が移動して入り込む。そして、吐出面であるノズル面３３Ｎ（図３、図６参照）に対向した状態で、所定のメンテナンス動作（バキューム、ダミージェット、ワイピング、キャッピング等）を行う。
【００２９】
なお、本実施形態では、４つのメンテナンスユニット３４を２つずつの２組に分割し、記録ヘッドアレイ３０、画像記録時には記録ヘッドアレイ３０の搬送方向上流側及び搬送方向下流側にそれぞれ配置されるようにしている。
【００３０】
図３にも詳細に示すように、記録ヘッドアレイ３０の搬送方向上流側には、電源３８が接続された帯電ロール３６が配置されている。帯電ロール３６は、従動ロール２６との間で搬送ベルト２８及び用紙Ｐを挟みつつ従動し、用紙Ｐを搬送ベルト２８に押圧する押圧位置と、搬送ベルト２８から離間した離間位置との間を移動可能とされている。押圧位置では、接地された従動ロール２６との間に所定の電位差が生じるため、用紙Ｐに電荷を与えて搬送ベルト２８に静電吸着させることができる。
【００３１】
帯電ロール３６としては、例えば、シリコーンゴムの表面に導電性カーボンを被覆し、体積抵抗値１０6〜１０7Ω・ｃｍ程度に調整したφ１４ｍｍのロールを使用することができる。
【００３２】
また、電源３８としては、図３では直流電源を挙げているが、用紙Ｐを所定電位に帯電させることが可能であれば、交流電源でもよい。
【００３３】
なお、帯電ロール３６よりもさらに搬送方向上流側には、図示しないレジロールが設けられており、用紙Ｐが搬送ベルト２８と帯電ロール３６との間に至る前に位置合わせされる。
【００３４】
記録ヘッドアレイ３０の搬送方向下流側には、剥離プレート４０（図１、２参照）が配置されており、用紙Ｐを搬送ベルト２８から剥離することができる。剥離プレート４０としては、たとえば、厚さ０．５ｍｍ、幅３３０ｍｍ、長さ１００ｍｍのアルミプレートを使用することができる。
【００３５】
剥離された用紙Ｐは、剥離プレート４０の搬送方向下流側で排出経路４４を構成する複数の回動可能な排出ローラ対４２で搬送され、筐体１４の上部に設けられた排紙トレイ４６に排出される。
【００３６】
剥離プレート４０の下方には、駆動ロール２４との間で搬送ベルト２８を挟持可能はクリーニングロール４８が配置されており、搬送ベルト２８の表面をクリーニングするようになっている。
【００３７】
給紙トレイ１６と搬送ベルト２８の間には、反転手段として、複数の反転用ローラ対５０で構成された反転経路５２が設けられており、片面に画像記録された用紙Ｐを反転させて搬送ベルト２８に保持させることで、用紙Ｐの両面への画像記録を容易に行えるようになっている。
【００３８】
搬送ベルト２８と排紙トレイ４６の間には、４色の各インクをそれぞれ貯留するインクタンク５４が設けられている。インクタンク５４のインクは、インク供給ライン６２（図５参照）によって、各ヘッドユニット３２に供給される。インクとしては、水性インク、油性インク、溶剤系インク等、公知の各種インクを使用できる。
【００３９】
図４に示すように、インクジェット記録装置１２の全体は、コントローラ５６によって制御され、用紙Ｐの取出しから画像記録、排出、さらにはメンテナンスを含む動作が制御されるようになっている。また、記録画像に関する各種のデータ等は、画像コントローラ５８からコントローラ５６に送られる。たとえば、後述するように、第１帯電モードや第２帯電モードでの印加電圧等は、記録画像のデータなどに応じて、コントローラ５６で制御される。また、インクジェット記録ヘッド３３はヘッドコントローラ６０によって制御されており、コントローラ５６からヘッドコントローラ６０へ信号が送信されるようになっている。なお、コントローラ５６、ヘッドコントローラ６０及び帯電ロール３６は、電源３８から電力供給を受けるようになっている。
【００４０】
このような全体構成とされた本実施形態のインクジェット記録装置１２では、上記したように、給紙トレイ１６から取り出された用紙Ｐが搬送され、搬送ベルト２８に至る。そして、帯電ロール３６によって搬送ベルト２８に押し付けられると共に、帯電ロール３６からの印加電圧によって搬送ベルト２８に吸着（密着）して保持される。この状態で、搬送ベルトの循環によって用紙Ｐが吐出領域ＳＥを通過しつつ、記録ヘッドアレイ３０からインク滴が吐出されて、用紙Ｐ上に画像が記録される。１パスのみで画像記録する場合には、剥離プレート４０で用紙Ｐで搬送ベルト２８から剥離し、排出ローラ対４２で搬送して排紙トレイ４６に排出する。これに対し、マルチパスで画像記録を行う場合には、必要な回数に達するまで用紙Ｐを周回させて吐出領域ＳＥを通過させた後、剥離プレート４０で用紙Ｐで搬送ベルト２８から剥離し、排出ローラ対４２で搬送して排紙トレイ４６に排出する。
【００４１】
（インク流動ライン）
インクジェット記録装置１２には、図５に示すように、インクタンク５４からヘッドユニット３２へインクを供給するためのインク供給ライン６２が各色毎に設けられている。
【００４２】
以下、インク供給ライン６２でインクタンク５４からヘッドユニット３２へインクを供給することを一色（例えばイエロー）について説明する。他の色については同様の構成であるので、その説明を省略する。
【００４３】
インク供給ライン６２には、インクタンク５４とリザーバタンク６４との間にフィルタ６６が設けられている。
【００４４】
インクジェット記録装置１２には、このフィルタ６６のインク流れ上流側に設けられ、インク供給ライン６２へのインク送出し力を与える第１ポンプ（リザーバタンク充填用ポンプ）６８と、第１ポンプ６８を駆動させる第１モータ７０と、を備えている。第１モータ７０はコントローラ５６によって制御されている。
【００４５】
また、リザーバタンク６４内のインク量をモニタするために、リザーバタンク６４内の低位置Ｌ、高位置Ｈでのインクの有無を検出するセンサ７２が設けられている。センサ７２で計測したデータはコントローラ５６へ送信される。
【００４６】
リザーバタンク６４には大気開放弁が設けられており、リザーバタンク６４内の液面は大気圧となっている。
【００４７】
ヘッドユニット３２は、１つの差圧弁７４と、差圧弁７４の下側に設けられた１つのサブタンク７６と、サブタンク７６の下側に設けられた複数のインクジェット記録ヘッド３３（図６、図７も参照）と、で構成され、差圧弁７４がサブタンク７６を介してインクジェット記録ヘッド３３にヘッド背圧を発生させるようになっている。また、リザーバタンク６４から流出したインクが差圧弁７４を経由してインクジェット記録ヘッド３３にまで到達できるように、リザーバタンク６４と差圧弁７４とが配管接続され、差圧弁７４とサブタンク７６とが配管接続され、サブタンク７６とインクジェット記録ヘッド３３とが配管接続されている。
【００４８】
図６、７に示すように、インクジェット記録ヘッド３３の下面側は吐出面となっており、１０２４個のノズル７８が配列されている。
【００４９】
差圧弁７４としては特に限定しない。例えば、図８に示すように、差圧弁７４としてダイヤフラム弁７３を設け、一定以上の差圧が生じるとゴム板８０への押圧力によりスプリング８２が縮んで弁が開となるようにしてもよい。また、図９に示すように、差圧弁７４としてフロート弁７５を設け、一定以上の差圧が生じると円錐状のゴム部材８４への押圧力によりスプリング８６が縮んで弁が開となるようにしてもよい。
【００５０】
メンテナンスユニット６４は、図５に示すように、インクジェット記録装置１２の回復動作時、ノズル面３３Ｎからのインクを受けるキャップ８８と、キャップ８８で受けたインクを排出する排液ライン９２とを備えている。排液ライン９２のインク流れ下流端にはバルブ９４を介して廃インクタンク９６が設けられている。また、インクジェット記録装置１２は、キャップ８８から排液ライン９２へのインク送出し力（インク吸出し力）を与える第２ポンプ（インクジェット記録ヘッド３３の回復動作用ポンプ）９８と、第２ポンプ９８を駆動させる第２モータ１００と、を備えている。第２モータ１００は、第１モータ７０と同様、コントローラ５６によって制御されている。
【００５１】
図１０に、ヘッド内圧力と経過時間との関係の一例を示す。図１０で縦軸に示したヘッド内圧力は、大気圧に対する相対圧力である。本実施形態では、高印字密度で印字する場合には、差圧弁７４の開閉の時間間隔ｔ１が短く、低印字密度で印字する場合には、差圧弁７４の開閉の時間間隔ｔ２が長い。
【００５２】
以上説明したように、本実施形態では、インク滴の非吐出時には、差圧弁７４によってインクジェット記録ヘッド３３にヘッド背圧を発生させることができる。従って、インク供給ライン６２に接続されたインクタンク５４を装置内のどこに配置してもこのヘッド背圧を発生させることができる。これにより、構成部材の配置位置の自由度が格段に広がるので、小型化されたインクジェット記録装置１２を実現させることができる。更に、リザーバタンクの容量と位置に自由度が増し、装置の小型化を行い易い。
【００５３】
また、リザーバタンク６４のインクの重量を利用してインクジェット記録ヘッド３３のインク背圧を制御することができ、効率良く制御することができる。
【００５４】
また、ヘッドユニット３２には、各インクジェット記録ヘッド３３毎に、各ノズルに共通の１つのサブタンク７６を設けているので、各インクジェット記録ヘッド３３で吐出圧力を均一にすることができる。
【００５５】
また、差圧弁７４は小型で簡素な構造であり、インクジェット記録ヘッド３３の上側に配置できる。このことも、インクジェット記録装置１２の装置サイズの小型化に有利である。
【００５６】
また、差圧弁７４は逆止弁としての働きもする。従って、ジャム等が生じてヘッド位置が変化しても、インクジェット記録ヘッド３３のノズル７８から気泡を引き込むことがない。また、振動等によりインクレベルがリザーバタンク６４内で変動しても、ノズル７８からインクの染み出しや気泡の引き込みが生じることがない。
【００５７】
［第２実施形態］
次に、第２実施形態について説明する。図１１、図１２に示すように、本実施形態では、イエロー（Ｙ）、マゼンタ（Ｍ）、サイアン（Ｃ）、及びブラック（Ｋ）の４色それぞれに対応した４つのヘッドユニット１１２が設けられており、このヘッドユニット１１２の構成が第１実施形態とは異なる。
【００５８】
ヘッドユニット１１２は、１つのサブタンク１１６と、サブタンク１１６の下側に設けられた複数の差圧弁１１４と、各差圧弁１１４の下側にそれぞれ設けられた複数のインクジェット記録ヘッド３３と、で構成され、差圧弁１１４がインクジェット記録ヘッド３３にヘッド背圧を発生させるようになっている。また、リザーバタンク６４から流出したインクが差圧弁１１４を経由してインクジェット記録ヘッド３３にまで到達できるように、リザーバタンク６４とサブタンク１１６とが配管接続され、サブタンク１１６と差圧弁１１４とが配管接続され、差圧弁１１４とインクジェット記録ヘッド３３とが配管接続されている。
【００５９】
本実施形態により、各インクジェット記録ヘッド３３毎にヘッド背圧をコントロールすることができる。また、各インクジェット記録ヘッド３３毎に差圧弁１１４を逆止弁として作用させることができる。
【００６０】
［第３実施形態］
次に、第３実施形態について説明する。図１３に示すように、本実施形態では、第２実施形態に比べ、各差圧弁１１４毎にサブタンク１２６を設けている。隣り合うサブタンク１２６同士は配管接続されており、各サブタンク１２６の圧力は基本的に均一になっている。
【００６１】
本実施形態により、第２実施形態と同様の効果を得ることができる。
【００６２】
［第４実施形態］
次に、第４実施形態について説明する。図１４に示すように、本実施形態では、第１実施形態に比べ、リザーバタンク６４とインクジェット記録ヘッド３３との間に差圧弁７４を設けており、この差圧弁７４の高さ位置はインクジェット記録ヘッド３３よりも低い。また、リザーバタンク６４は大気連通口１１８を有しており、リザーバタンク６４内のインク液面は大気圧に開放されている。
【００６３】
これにより、リザーバタンク６４と差圧弁７４との間のインクの重量を利用してインクが加圧され、差圧弁７４を動作させてインクジェット記録ヘッド３３の背圧を制御することができる。
【００６４】
［第５実施形態］
次に、第５実施形態について説明する。図１５に示すように、本実施形態では、第１実施形態に比べ、リザーバタンク６４及びセンサ７２を設けずに、第１ポンプ６８でインクを直接に加圧してインクジェット記録ヘッド３３に供給している。
【００６５】
これにより、リザーバタンクやセンサを設ける必要がなく、装置の更なる小型化、簡素化を実現できる。
【００６６】
なお、図１６に示すように、差圧弁７４をフィルタ６６のすぐ上流側に設けてもよいし、図１７に示すように、差圧弁７４の高さ位置がインクジェット記録ヘッド３３よりも低くてもよい。
【００６７】
以上、実施形態を挙げて本発明の実施の形態を説明したが、これらの実施形態は一例であり、要旨を逸脱しない範囲内で種々変更して実施できる。また、本発明の権利範囲が上記実施形態に限定されないことは言うまでもない。
【図面の簡単な説明】
【００６８】
【図１】第１実施形態のインクジェット記録装置の構成を画像記録状態で示す正面断面図である。
【図２】第１実施形態のインクジェット記録装置の構成をメンテナンス状態で示す正面断面図である。
【図３】第１実施形態のインクジェット記録装置の搬送ベルト及びその近傍の構成を示す概念図である。
【図４】第１実施形態のインクジェット記録装置の制御系の構成を示すブロック図である。
【図５】第１実施形態のインクジェット記録装置のインク流動ラインを示す模式図である。
【図６】図６（Ａ）及び（Ｂ）は、それぞれ、第１実施形態でインクジェット記録ヘッドの構成を示す側面図及び背面図である。
【図７】第１実施形態でインクジェット記録ヘッドを示す側面図である。
【図８】図８（Ａ）及び（Ｂ）は、それぞれ、第１実施形態でダイヤフラム弁が閉の状態、及び、開の状態を示す側面断面図である。
【図９】図９（Ａ）及び（Ｂ）は、それぞれ、第１実施形態でフロート弁が閉の状態、及び、開の状態を示す側面断面図である。
【図１０】第１実施形態で、ヘッド内圧力と経過時間との関係を示すグラフ図である。
【図１１】第１実施形態のインクジェット記録装置のインク流動ラインを示す模式図である。
【図１２】図１２（Ａ）及び（Ｂ）は、それぞれ、第２実施形態でインクジェット記録ヘッドの構成を示す側面図及び背面図である。
【図１３】図１３（Ａ）及び（Ｂ）は、それぞれ、第３実施形態でインクジェット記録ヘッドの構成を示す側面図及び背面図である。
【図１４】第４実施形態のインクジェット記録装置のインク流動ラインを示す模式図である。
【図１５】第５実施形態のインクジェット記録装置のインク流動ラインを示す模式図である。
【図１６】第５実施形態の変形例のインクジェット記録装置のインク流動ラインを示す模式図である。
【図１７】第５実施形態の変形例のインクジェット記録装置のインク流動ラインを示す模式図である。
【図１８】従来のインクジェット記録装置の構成部品の配置位置を示す側面図である。
【符号の説明】
【００６９】
１２  インクジェット記録装置
３３  インクジェット記録ヘッド
３３Ｎ  ノズル面（吐出面）
６２  インク供給ライン
６４  リザーバタンク
７３  ダイヤフラム弁
７４  差圧弁
７５  フロート弁
１１４  差圧弁
１１８  大気連通口
２１２  インクジェット記録装置
２１８  吐出口
【図１】
2006088403.tif 000003
【図２】
2006088403.tif 000004
【図３】
2006088403.tif 000005
【図４】
2006088403.tif 000006
【図５】
2006088403.tif 000007
【図６】
2006088403.tif 000008
【図７】
2006088403.tif 000009
【図８】
2006088403.tif 000010
【図９】
2006088403.tif 000011
【図１０】
2006088403.tif 000012
【図１１】
2006088403.tif 000013
【図１２】
2006088403.tif 000014
【図１３】
2006088403.tif 000015
【図１４】
2006088403.tif 000016
【図１５】
2006088403.tif 000017
【図１６】
2006088403.tif 000018
【図１７】
2006088403.tif 000019
【図１８】
2006088403.tif 000020